(57)【要約】      （修正有）【課題】シリンダ錠の平鍵におけるバリエーションの可能性が高められ、より高い施錠安全性が保証されるようにする。【解決手段】平鍵１の両側面２の少なくとも一方が、少なくとも３つの制御溝７、８、９を有しており、その制御溝７、８、９の少なくとも１つが、別の制御溝より深く形成されており、ほぼ平行に延びた浅い両溝７，９が、鍵先１０から出発して少なくとも第１の制御箇所２３にまで、浅い溝の後続の経過よりも大きな幅を有しているようにした。【選択図】図１
2006291699.tif 000002
【特許請求の範囲】
【請求項１】
シリンダ錠に用いられる平鍵であって、両側面の少なくとも一方が、少なくとも３つの制御溝を有しており、該制御溝の少なくとも１つが、別の制御溝よりも深く形成されており、浅い２つの制御溝が、ほぼ平行に延びており、当該平鍵が、場合により別の制御エレメント、たとえばピンタンブラに対する鍵爪に設けられた刻み、鍵背に設けられた制御面、鍵押込み方向への長手方向リブ・長手方向溝および側面に設けられたフライス加工部を有している形式のものにおいて、浅い両溝（７，９）が、鍵先（１０）から出発して少なくとも第１の制御箇所（２３）にまで、浅い溝の後続の経過よりも大きな幅を有していることを特徴とする、シリンダ錠に用いられる平鍵。
【請求項２】
浅い溝（７，９）の間のウェブ（２４）の内法の幅（２５）が、全鍵長さに沿って等しい、請求項１記載の平鍵。
【請求項３】
制御箇所（２３）により大きな幅を備えた溝（７，９）の間のウェブ（２４）が、狭幅の溝を備えた配置形式に比べて１／２ステップジャンプだけずらされている、請求項１または２記載の平鍵。
【請求項４】
両溝の領域でウェブ側部（２６）が、制御箇所（２３）に一貫して形成されている、請求項１から３までのいずれか１項記載の記載の平鍵。
【請求項５】
請求項１から４までのいずれか１項記載の鍵のための錠であって、鍵通路の少なくとも一方の側に該鍵通路に対してほぼ平行に、平鍵の浅い制御溝内に係合する制御機構を備えた少なくとも１つの制御エレメントと、平鍵の深い制御溝内に係合する制御機構を備えた少なくとも１つの制御エレメントとが設けられており、少なくとも１つの施錠エレメントが設けられており、該施錠エレメントが、制御エレメントの相応の位置で、シリンダハウジングに対するシリンダコアの回動のための解錠位置にもたらされるようになっている形式のものにおいて、最後の制御エレメント（１７）が、鍵（１）の広幅の溝（７，９）をトレースするために、より広幅の制御機構（２７）を有しており、該制御機構（２７）の内法の幅（３０）が、ウェブ（２４）の内法の幅（２５）に相当しており、両制御機構（２７）の位置が、有利にはそれぞれ１／２ステップジャンプだけ鍵通路高さの同じ方向にずらされていることを特徴とする、鍵のための錠。
【発明の詳細な説明】
【技術分野】
【０００１】
本発明は、シリンダ錠に用いられる平鍵であって、両側面の少なくとも一方が、少なくとも３つの制御溝を有しており、該制御溝の少なくとも１つが、別の制御溝よりも深く形成されており、浅い２つの制御溝が、ほぼ平行に延びており、当該平鍵が、場合により別の制御エレメント、たとえばピンタンブラに対する鍵爪に設けられた刻み、鍵背に設けられた制御面、鍵押込み方向への長手方向リブ・長手方向溝および側面に設けられたフライス加工部を有している形式のものに関する。
【０００２】
さらに、本発明は、上述した鍵のための錠であって、鍵通路の少なくとも一方の側に該鍵通路に対してほぼ平行に、平鍵の浅い制御溝内に係合する制御機構を備えた少なくとも１つの制御エレメントと、平鍵の深い制御溝内に係合する制御機構を備えた少なくとも１つの制御エレメントとが設けられており、少なくとも１つの施錠エレメントが設けられており、該施錠エレメントが、制御エレメントの相応の位置で、シリンダハウジングに対するシリンダコアの回動のための解錠位置にもたらされるようになっている形式のものに関する。
【背景技術】
【０００３】
本発明は、オーストリア国特許第３８９５５９号明細書に開示されているような鍵構造ならびに所属のシリンダ錠から出発する。
【特許文献１】オーストリア国特許第３８９５５９号明細書
【発明の開示】
【発明が解決しようとする課題】
【０００４】
本発明の課題は、鍵におけるバリエーション可能性が高められ、より高い施錠安全性が保証されるようにすることである。同じ効果が、錠の新規の構成に関して得られることも望ましい。
【課題を解決するための手段】
【０００５】
この課題を解決するために本発明の平鍵では、浅い両溝が、鍵先から出発して少なくとも第１の制御箇所にまで、浅い溝の後続の経過よりも大きな幅を有しているようにした。
【０００６】
さらに、上記課題を解決するために本発明の錠では、最後の制御エレメントが、鍵の広幅の溝をトレースするために、より広幅の制御機構を有しており、該制御機構の内法の幅が、ウェブの内法の幅に相当しており、両制御機構の位置が、有利にはそれぞれ１／２ステップジャンプだけ鍵通路高さの同じ方向にずらされているようにした。
【発明の効果】
【０００７】
これによって、平鍵のバリエーション数が著しく高められる。
【０００８】
本発明の特徴は、平鍵の浅い溝の間のウェブの内法の幅が、全鍵長さに沿って等しいことである。これによって、拡幅された浅い溝を備えた制御箇所で、この溝が上方にかつ下方に拡幅されているのに対して、浅い両溝の間の間隔、すなわち、ウェブの内法の幅は不変である。
【０００９】
上方へのかつ下方への浅い溝の純然たる拡幅によって、錠の制御エレメントを狭幅の制御機構によって、同じ内法の幅を備えたウェブを介してガイドすることができることが可能となる。このことは、鍵の押込み時に狭幅の制御機構を、拡幅された溝を越えて、この狭幅の制御機構に対応配置された制御箇所にガイドするために必要となる。さらに、これに基づき、少なくとも所定の制御箇所で拡幅された浅い溝を備えた本発明による鍵が、一貫して狭幅の制御機構を備えた従来公知の構造の錠内に押し込まれ得ることが生ぜしめられる。
【００１０】
したがって、バリエーション数を高めるために、本発明による鍵が、公知先行技術による構造の錠内で施錠されることは望ましくない。したがって、本発明の別の特徴は、前記制御箇所により大きな幅を備えた溝の間のウェブが、狭幅の溝を備えた配置形式に比べて１／２ステップジャンプだけずらされていることである。これによって、本発明による鍵が、公知先行技術による「旧式の」錠内での使用時に、狭幅の制御機構をこれに相応の制御箇所で、ずらされたウェブに基づき意図的に誤った位置にセットすることが確保される。これによって、単に本発明により浅い溝が拡幅された偽鍵による「旧式の」錠の偽施錠が不可能にされる。
【００１１】
狭幅の制御機構を、より広幅の溝の制御箇所の領域で確実にガイドすることができるように、本発明の別の特徴は、ウェブ側部をこの箇所で一貫して形成することである。
【００１２】
本発明のさらなる特徴および特性は、図面の簡単な説明、明細書および特許請求の範囲から知ることができる。
【発明を実施するための最良の形態】
【００１３】
以下に、本発明を実施するための最良の形態を図面につき詳しく説明する。
【００１４】
図１には、本発明による平鍵１が側面図で示してある。この場合、鍵押込み方向５で見て右側の側面２が詳細に示してある。鍵爪３と鍵背４とは、慣用の形式で、錠のピンタンブラと協働するための刻み６を備えている。さらに、鍵１は側面２になおフライス加工部２２を有している。
【００１５】
また、鍵１の側面２には、曲線状の３つの制御溝７，８，９も配置されている。両制御溝７，９は比較的浅く形成されているのに対して、制御溝８は、他方の両制御溝７，９よりも深く鍵材料内に突入している。浅い方の２つの制御溝７，９は互いにほぼ平行に延びており、深い制御溝８は浅い制御溝７，９の間にほぼ設けられている。より見やすくするために、制御溝７では、制御溝８が存在していない限り、制御溝７の妨害されない経過が実線で記入してある。個々の制御箇所１１，２３は、鍵１が完全に押し込まれた場合の制御エレメント１７のピン２１，２７の位置を示している。ここに示した例では、狭幅のピン２１を備えた５つの制御エレメント１７が設けられており、鍵先１０の側では、広幅のピン２７を備えた１つの制御エレメント１７が設けられている。これに相応して、平鍵１の両制御溝７，９は制御箇所２３に向かって拡幅されている。この場合、ウェブ２４の内法の幅２５は全鍵長さにわたって不変である。
【００１６】
制御箇所２３で決して溝７，９における拡幅を有していない平鍵１は、本発明による錠内に完全に押し込むことができないようになっている。
【００１７】
図２および図３には、本発明による平鍵１のそれぞれ１つの横断面図が示してある。この場合、拡幅された浅い溝７，９を備えた制御箇所２３における断面図が示してある。深い溝８は、以下の図面には、図面をより見やすくするために示していない。これに関して、錠側には制御エレメント１７が配置されている。施錠エレメント１５が示してある。図２では、制御エレメント１７が広幅のピン２７を有している。適切な鍵の場合には、制御エレメント１７がガイド溝７，９によって制御箇所２３で終端位置にもたらされる。この終端位置では、切欠き１８が施錠エレメント１５の延長部２８を収容することができる。これによって、錠が解錠される。
【００１８】
図３には、本発明による鍵１が、狭幅のピン２１を有する制御エレメント１７を備えた公知先行技術による「旧式の」錠内に押し込まれている状況が示してある。狭幅のピン２１はウェブ２４のウェブ側部２６を介してガイドされる。このガイドによって、制御エレメント１７が、拡幅された制御溝７，９内で自由に運動し得ることが回避される。さらに、ウェブ２４は広幅のピン２７のための制御箇所２３で、狭幅のピン２１が１／２ステップジャンプだけずらされてガイドされるように形成されている。１ステップジャンプは、特定の制御箇所１１におけるピン２１の、隣り合った可能な２つの制御高さの間の間隔を表している。広幅のピン２７が１／２ジャンプだけ狭幅のピン２１に対してずらされていることによって、広幅のピン２７のための広幅の制御箇所２３に位置することになる全ての狭幅のピン２１が意図的に誤った位置にセットされる。
【００１９】
図４および図５には、図２および図３に対する同等の配置形式が、本発明による錠の横断面図で示してある。両図面には、鍵ならびに所属の錠の一方の半部しか示していない。鍵１は完全に鍵通路１９内に押し込まれている。制御エレメント１７は、制御溝７，９のガイドに基づきシリンダコア１３の切欠き２９内で鍵１の押込み時に上下に運動させられる。鍵の終端位置では、制御エレメント１７のピン２７が、対応配置された制御箇所２３に位置している。いま、図４に示した事例において、シリンダコア１３が錠のハウジング１２内で回動させられると、施錠エレメント１５が、ハウジング１２に位置する係止溝１４から進出させられる。これによって、延長部２８が切欠き１８内に収容され、したがって、錠が解錠されている。
【００２０】
図５に示した錠では、制御エレメント１７が狭幅のピン２１で平鍵１の制御箇所２３に位置している。ウェブ２４を介したガイドによって、制御エレメント１７が１／２ジャンプだけ誤った位置にセットされる。これによって、延長部２８を切欠き１８内に収容することができず、したがって、施錠エレメント１５がハウジングの係止溝１４内に突入しており、これによって、錠が解錠されない。
【００２１】
図６〜図８には、本発明による錠の施錠エレメント１６，１７の３つの変化形のそれぞれ１つの横断面が示してある。図６に示した施錠エレメント１６は、深い方の制御溝８をトレースするためのピン２０と、施錠エレメント１５の延長部２８のための切欠き１８とを有している。
【００２２】
図７に示した制御エレメント１７は、切欠き１８のほかに狭幅のピン２１を有している。このピン２１は互いに、ウェブ２４の内法の幅２５に相当する内法の幅３０を有している。
【００２３】
図８に示した制御エレメント１７は、拡幅された制御箇所２３で浅い制御溝７，９をトレースするための広幅のピン２７を有している。この制御エレメント１７でも、ピン２７の間の内法の幅３０はウェブ２４の内法の幅２５に相当している。
【００２４】
ここで、ウェブ２４の内法の幅２５と、ピン２１；２７の間の内法の幅３０とが言及される場合、このことは、両サイズがウェブ２４の折曲げ配置形式に関連して変化させられることを表現している。内法の幅２５，３０は、ウェブ２４の幅が、ウェブ側部２６に対して垂直に測定して変化しなければならないにもかかわらず不変である（図１参照）。
【００２５】
狭幅のピン２１の配置形式に比べて１／２ステップジャンプだけの広幅のピン２７の配置形式のずれは有利であるものの、別の値をとってもよい。
【００２６】
図示の鍵・錠構造は、有利にはリバーシブルキーのために設けられており、錠内には、前述した施錠部材が鍵通路の両側に配置されている。上記説明から、一貫してより小さな幅の制御溝を備えた公知先行技術による鍵を完全に錠内に押し込むことができないことも自明である。この錠は本発明による鍵に対して調整されている。したがって、種々異なる鍵・錠コンビネーションの相互の誤った施錠が不可能にされている。
【図面の簡単な説明】
【００２７】
【図１】本発明による平鍵の一部の側面図である。
【図２】配置された制御・施錠エレメントを備えた本発明による平鍵の横断面図である。
【図３】配置された制御・施錠エレメントを備えた本発明による平鍵の別の横断面図である。
【図４】図２に対して同等に制御・施錠エレメントの配置形式を備えた本発明による錠の横断面図である。
【図５】図３に示した制御・施錠エレメント配置形式に対して同等に制御・施錠エレメント配置形式を備えた本発明による錠の別の横断面図である。
【図６】深い溝をトレースするためのピンを備えた制御エレメントの横断面図である。
【図７】浅い制御溝をトレースするための狭幅の２つのピンを備えた制御エレメントの横断面図である。
【図８】浅い制御溝をトレースするための広幅の２つのピンを備えた制御エレメントの横断面図である。
【符号の説明】
【００２８】
１  平鍵、  ２  側面、  ３  鍵爪、  ４  鍵背、  ５  鍵押込み方向、  ６  刻み、  ７，８，９  制御溝、  １０  鍵先、  １１  制御箇所、  １２  ハウジング、  １３  シリンダコア、  １４  係止溝、  １５  施錠エレメント、  １６  施錠エレメント、  １７  制御エレメント、  １８  切欠き、  １９  鍵通路、  ２０  ピン、  ２１  ピン、  ２２  フライス加工部、  ２３  制御箇所、  ２４  ウェブ、  ２５  幅、  ２６  ウェブ側部、  ２７  ピン、  ２８  延長部、  ２９  切欠き、  ３０  幅
【図１】
2006291699.tif 000003
【図２】
2006291699.tif 000004
【図３】
2006291699.tif 000005
【図４】
2006291699.tif 000006
【図５】
2006291699.tif 000007
【図６】
2006291699.tif 000008
【図７】
2006291699.tif 000009
【図８】
2006291699.tif 000010